(57)【要約】アルキルエトキシル化サルフェート（ＡＥＳ）界面活性剤を含む界面活性剤系を含む液体洗剤組成物。ＡＥＳ界面活性剤を含む洗剤ペースト。関連プロセス。【特許請求の範囲】
【請求項１】
液体洗剤組成物であって、前記洗剤組成物の約５重量％〜２０重量％未満の、アルキルエトキシル化サルフェート（alkyl ethoxylated sulfate、「ＡＥＳ」）界面活性剤及び第２の界面活性剤を含む界面活性剤系であって、前記ＡＥＳ界面活性剤が複数のＡＥＳ化合物を含み、各ＡＥＳ化合物がアルキル鎖を含み、前記ＡＥＳ界面活性剤が、前記ＡＥＳ界面活性剤の約４０重量％〜約７０重量％の、前記アルキル鎖に１５個の炭素原子を有するＡＥＳ化合物（Ｃ１５  ＡＥＳ）を含み、前記ＡＥＳ界面活性剤が、前記ＡＥＳ界面活性剤の約３０重量％以下の、前記アルキル鎖に１４個の炭素原子を有するＡＥＳ化合物（Ｃ１４  ＡＥＳ）を含み、前記ＡＥＳ界面活性剤が、前記アルキル鎖を含む脂肪族アルコールの重量平均分子量に基づいて、約２００〜約２２０ダルトンの重量平均分子量（ＭＷ）を有する鎖長を特徴とする、界面活性剤系と、洗剤補助剤と、を含む、液体洗剤組成物。
【請求項２】
前記組成物が、前記洗剤組成物の約５重量％〜約１７重量％、又は約８重量％〜約１５重量％、又は約１０重量％〜約１５重量％の前記界面活性剤系を含む、請求項１に記載の液体洗剤組成物。
【請求項３】
前記ＡＥＳ界面活性剤が、前記ＡＥＳ界面活性剤の約４５重量％〜約６０重量％、好ましくは約５０重量％〜約６０重量％のＣ１５  ＡＥＳを含む、請求項１又は２に記載の液体洗剤組成物。
【請求項４】
前記ＡＥＳ界面活性剤が、アルキル鎖に１２個の炭素原子を有するＡＥＳ化合物（Ｃ１２  ＡＥＳ）、アルキル鎖に１３個の炭素原子を有するＡＥＳ化合物（Ｃ１３  ＡＥＳ）、又はこれらの混合物を含む、請求項１〜３のいずれか一項に記載の液体洗剤組成物。
【請求項５】
前記ＡＥＳ界面活性剤が、前記ＡＥＳ界面活性剤の約１５重量％〜約５０重量％、又は約２５重量％〜約５０重量％、又は約２５重量％〜約４０重量％、又は約３０重量％〜約４０重量％の、アルキル鎖に１３個の炭素原子を有するＡＥＳ化合物（Ｃ１３  ＡＥＳ）を含む、請求項１〜４のいずれか一項に記載の液体洗剤組成物。
【請求項６】
前記ＡＥＳ界面活性剤が、前記ＡＥＳ界面活性剤の約２５重量％以下、又は約２０重量％以下、又は約１５重量％以下、又は約１０重量％以下のＣ１４  ＡＥＳを含む、請求項１〜５のいずれか一項に記載の液体洗剤組成物。
【請求項７】
前記ＡＥＳ界面活性剤が、更に、Ｃ１２  ＡＥＳ、Ｃ１３  ＡＥＳ、及びＣ１４  ＡＥＳのそれぞれを前記ＡＥＳ界面活性剤の少なくとも１重量％含む、請求項１〜６のいずれか一項に記載の液体洗剤組成物。
【請求項８】
前記ＡＥＳ界面活性剤が、約２１０〜約２２０キロダルトン、好ましくは約２１１〜約２１８キロダルトンの重量平均分子量を有する鎖長を特徴とする、請求項１〜７のいずれか一項に記載の液体洗剤組成物。
【請求項９】
前記ＡＥＳ界面活性剤が、約０．５〜約５、又は約１〜約３、又は約１．５〜約２．５の平均エトキシル化度を特徴とする、請求項１〜８のいずれか一項に記載の液体洗剤組成物。
【請求項１０】
前記ＡＥＳ界面活性剤の約１０重量％〜約３０重量％が、Ｃ２位で分岐している、請求項１〜９のいずれか一項に記載の液体洗剤組成物。
【請求項１１】
前記第２の界面活性剤が、アルキルベンゼンスルホネート、エトキシル化アルコール非イオン性界面活性剤、アミンオキシド界面活性剤、及びこれらの混合物からなる群から選択される、請求項１〜１０のいずれか一項に記載の液体洗剤組成物。
【請求項１２】
前記第２の界面活性剤が、アルキルベンゼンスルホネート、好ましくは直鎖状アルキルベンゼンスルホネート（linear alkyl benzene sulphonate、「ＬＡＳ」）を含む、請求項１〜１１のいずれか一項に記載の液体洗剤組成物。
【請求項１３】
前記ＬＡＳが、ＡＥＳとＬＡＳとの重量比が約１：１〜約１０：１、好ましくは約２：１〜約５：１になるような量で存在する、請求項１２に記載の液体洗剤組成物。
【請求項１４】
前記組成物が、２０ｓ−１及び２０℃で約２００〜約８００ｃｐｓの粘度を特徴とする、請求項１〜１３のいずれか一項に記載の液体洗剤組成物。
【請求項１５】
前記洗剤補助剤が、脂肪酸及び／又はその塩、酵素、封入有益剤、汚れ放出ポリマー、色調剤、ビルダー、キレート剤、移染阻害剤、分散剤、酵素安定剤、触媒材料、漂白剤、漂白触媒、漂白活性化剤、ポリマー分散剤、汚れ除去／再付着防止剤、ポリマー分散剤、ポリマー脂洗浄剤、増白剤、抑泡剤、染料、色調剤、香料、構造弾性化剤、布地柔軟剤、担体、充填剤、ヒドロトロープ、溶媒、抗菌剤及び／又は防腐剤、中和剤及び／又はｐＨ調整剤、アルコキシル化ポリエチレンイミン（ＰＥＩ）ポリマー、加工助剤、充填剤、レオロジー調整剤又は構造化剤、乳白剤、パールエッセンス剤、顔料、防食及び／又は耐変色剤、並びにこれらの混合物から選択される、請求項１〜１４のいずれか一項に記載の液体洗剤組成物。
【発明の詳細な説明】
【技術分野】
【０００１】
本開示は、アルキルエトキシル化サルフェート（alkyl ethoxylated sulfate、ＡＥＳ）界面活性剤を含む界面活性剤系を含む液体洗剤組成物に関する。本開示はまた、ＡＥＳ界面活性剤を含む洗剤ペーストにも関する。本開示はまた、関連するプロセスにも関する。
【背景技術】
【０００２】
洗剤製造業者は、常に、自社の液体洗剤組成物の洗浄性能及び／又は審美性を改善しようとしている。界面活性剤は、このような組成物の典型的な洗浄の主力成分（workhorse）であり、アルキルエトキシル化サルフェート（ＡＥＳ）界面活性剤などのアニオン性界面活性剤が一般的である。比較的低濃度の界面活性剤（例えば、２０重量％未満）を含む組成物は、特定の課題を提示する。
【０００３】
例えば、界面活性剤が比較的少ない組成物は、消費者にとって薄い又は粘性が低いように見える場合があり、これは、低品質及び／又は性能不良を暗示する。塩又は構造化剤などの外部増粘剤を添加することによってこのような組成物の粘度を増大させることはできるが、このような材料を使用すると、更なる洗浄効果が得られることなく、追加費用が発生する。
【０００４】
更に、比較的長いアルキル鎖長（例えば、Ｃ１４以上）を有するＡＥＳ界面活性剤を配合することにより、特定の液体洗剤組成物の洗浄効果を改善できる（例えば、脂汚れの除去）ことが見出された。しかしながら、平均ＡＥＳ鎖長（その鎖長を有するアルコールの重量平均分子量に反映され得る）が長すぎると、洗剤組成物の物理的安定性が不十分となる場合がある。
【発明の概要】
【発明が解決しようとする課題】
【０００５】
良好な性能、粘度、及び／又は安定性プロファイルを提供する改善された液体洗剤組成物を提供する必要性が引き続き存在する。
【課題を解決するための手段】
【０００６】
本開示は、アルキル鎖に特定のアルキル鎖長、すなわち１５個の炭素を有するアルキルエトキシル化サルフェートを含む液体洗剤組成物に関する。
【０００７】
例えば、本開示は、液体洗剤組成物であって、当該洗剤組成物の約５重量％〜２０重量％未満の、アルキルエトキシル化サルフェート（ＡＥＳ）界面活性剤及び第２の界面活性剤を含む界面活性剤系であって、当該ＡＥＳ界面活性剤が複数のＡＥＳ化合物を含み、各ＡＥＳ化合物がアルキル鎖を含み、当該ＡＥＳ界面活性剤が、当該ＡＥＳ界面活性剤の約４０重量％〜約７０重量％の、アルキル鎖に１５個の炭素原子を有するＡＥＳ化合物（Ｃ１５  ＡＥＳ）を含み、当該ＡＥＳ界面活性剤が、当該ＡＥＳ界面活性剤の約３０重量％以下の、アルキル鎖に１４個の炭素原子を有するＡＥＳ化合物（Ｃ１４  ＡＥＳ）を含み、当該ＡＥＳ界面活性剤が、当該アルキル鎖を含む脂肪族アルコールの重量平均分子量に基づいて、約２００〜約２２０ダルトンの重量平均分子量（ＭＷ）を有する鎖長を特徴とする、界面活性剤系と、洗剤補助剤と、を含む、液体洗剤組成物に関する。
【０００８】
本開示はまた、液体洗剤組成物であって、ＡＥＳ界面活性剤及び第２の界面活性剤を含む界面活性剤系であって、当該ＡＥＳ界面活性剤が複数のＡＥＳ化合物を含み、各ＡＥＳ化合物がアルキル鎖を含み、当該ＡＥＳ界面活性剤が、当該ＡＥＳ界面活性剤の約４０重量％〜約７０重量％のＣ１５  ＡＥＳを含み、当該ＡＥＳ界面活性剤が、当該ＡＥＳ界面活性剤の約３０重量％以下のＣ１４  ＡＥＳを含み、当該ＡＥＳ界面活性剤が、アルキル鎖を含む脂肪族アルコールの重量平均分子量に基づいて、約２０８〜２１５ダルトン以下の重量平均分子量（ＭＷ）を有する鎖長を特徴とし、当該ＡＥＳ界面活性剤が、約０．５〜約５の平均エトキシル化度を更に特徴とする、界面活性剤系と、洗剤補助剤と、を含む、液体洗剤組成物に関する。
【０００９】
本開示はまた、洗剤ペーストであって、当該ペーストの約４５重量％〜約１００重量％のＡＥＳ界面活性剤であって、当該ＡＥＳ界面活性剤が複数のＡＥＳ化合物を含み、各ＡＥＳ化合物がアルキル鎖を含み、当該ＡＥＳ界面活性剤が、当該ＡＥＳ界面活性剤の約４０重量％〜約７０重量％のＣ１５  ＡＥＳを含み、当該ＡＥＳ界面活性剤が、当該ＡＥＳ界面活性剤の約３０重量％以下のＣ１４  ＡＥＳを含み、当該ＡＥＳ界面活性剤が、アルキル鎖を含む脂肪族アルコールの重量平均分子量に基づいて、約２００〜約２２０ダルトンの重量平均分子量（ＭＷ）を有する鎖長を特徴とし、当該ＡＥＳ界面活性剤が、約０．５〜約５の平均エトキシル化度を更に特徴とする、ＡＥＳ界面活性剤系を含み、所望により、当該ペーストが、アルキルベンゼンスルホネート界面活性剤、腐食剤、アルコキシル化ポリアルキレンイミン（alkoxylated polyalkyleneimine、ＰＥＩ）ポリマー、非アミノ官能性有機溶媒、水、又はこれらの組み合わせを更に含む、洗剤ペーストに関する。
【００１０】
本開示はまた、関連するプロセスにも関する。
【発明を実施するための形態】
【００１１】
本開示は、アルキルエトキシル化サルフェート（ＡＥＳ）界面活性剤化合物の特定のブレンドを含む液体洗剤組成物に関する。特に、特定のアルキル鎖長分布を有するＡＥＳを慎重に選択すると、改善された粘度、洗浄性能、及び／又は安定性を付与できることが見出された。例えば、特定の量のＣ１５アルキル鎖及び特定の重量平均分子量（例えば、約２００〜約２２０ダルトン）のアルキル鎖を有するＡＥＳは、液体洗剤組成物、特に比較的少量の界面活性剤（例えば、２０重量％未満）を有するものにおいて粘度を改善することが見出されている。
【００１２】
理論に束縛されるものではないが、疎水性の高い長い鎖（例えば、Ｃ１５）と疎水性の低い短い鎖（例えば、Ｃ１３）とのバランスをとることにより、特定の液体洗剤組成物の粘度に対して驚くべき効果を有する有効なＡＥＳ材料が得られると考えられる。更に、このような組成物は、同じ又はより低い重量平均分子量を有するＡＥＳ界面活性剤と比較してより長鎖のＡＥＳの量を増加させることにより、特定の汚れ（例えば、脂汚れ）に対する同じ又は改善された洗浄性能を提供すると予想される。
【００１３】
本開示の組成物及び方法については、以下でより詳細に記載する。
【００１４】
本明細書で使用する場合、特許請求の範囲で使用される場合の冠詞「ａ」及び「ａｎ」は、特許請求又は記載されているもののうちの１つ以上を意味すると理解される。本明細書で使用する場合、用語「含む（include）」、「含む（includes）」、及び「含んでいる（including）」は、非限定的であることを意味する。本開示の組成物は、本開示の成分を含み、それらから本質的になり、又はそれらからなることができる。
【００１５】
本明細書では、「実質的に含まない（substantially free of）」又は「実質的に含まない（substantially free from）」という用語が使用されてもよい。これは、指示される材料が最小限の量であり、組成物の一部を形成するように意図的にその組成物に添加されたものでないこと、又は好ましくは、分析的に検出可能な濃度で存在しないことを意味する。それは、指示される材料が意図的に含まれる他の材料のうちの１つの中に不純物としてのみ存在する組成物を含むことを意味する。指示される材料は、あったとしても、組成物の１重量％未満、又は０．１重量％未満、又は０．０１重量％未満、又は更には０重量％の濃度で存在してもよい。
【００１６】
本明細書で使用する場合、語句「布地ケア組成物」は、布地処理用に設計された組成物及び配合物を含む。このような組成物は、洗濯洗浄組成物及び洗剤、布地柔軟化組成物、布地強化組成物、布地消臭組成物、予洗い用洗剤（laundry prewash）、洗濯前処理剤、洗濯添加剤、スプレー製品、ドライクリーニング剤又は組成物、洗濯すすぎ添加剤、洗浄添加剤、すすぎ後布地処理剤、アイロン助剤、単位用量配合物、遅延送達配合物、多孔性基材若しくは不織布シート上又は中に含有される洗剤、及び本明細書の教示を考慮すると当業者に明白であり得るその他の好適な形態を含むが、これらに限定されない。このような組成物を、洗濯前処理剤、洗濯後処理剤として使用してもよい、又は洗濯操作のすすぎ若しくは洗浄周期中に加えてもよい。
【００１７】
別途記載のない限り、全ての成分又は組成物の濃度は、当該成分又は組成物の活性部分に関するものであり、かかる成分又は組成物の市販の供給源に存在し得る不純物、例えば残留溶媒又は副生成物は除外される。
【００１８】
本明細書における全ての温度は、特に断らない限り、摂氏（℃）である。特に指示がない限り、本明細書における全ての測定は、２０℃及び大気圧下で行われる。
【００１９】
本開示の全ての実施形態において、全ての比率（％）は、特に記載のない限り、全組成物の重量に対するものである。特に記載のない限り、全ての比は重量比である。
【００２０】
本明細書の全体をとおして与えられる全ての最大数値限定は、それよりも小さい全ての数値限定を、かかるより小さい数値限定があたかも本明細書に明確に記載されているかのように含むものと理解すべきである。本明細書の全体をとおして与えられる全ての最小数値限定は、それよりも高い全ての数値限定を、かかるより高い数値限定があたかも本明細書に明確に記載されているかのように含む。本明細書の全体をとおして与えられる全ての数値範囲は、かかるより広い数値範囲内に含まれるより狭い全ての数値範囲を、かかるより狭い数値範囲があたかも全て本明細書に明確に記載されているかのように含む。
【００２１】
液体洗剤組成物
本開示は、液体洗剤組成物に関する。洗剤組成物は、以下により詳細に論じられる界面活性剤系を含んでいてよい。
【００２２】
液体洗剤組成物は、布地ケア組成物又は食器ケア組成物などの家庭用ケア製品であり得る。洗剤組成物は、ライトデューティー液体洗剤組成物、ヘビーデューティー液体洗剤組成物、硬質面洗浄組成物（手動又は自動の食器洗浄組成物など）、洗濯用添加剤、及びこれらの混合物の群から選択してよい。洗剤組成物は、硬質面洗浄組成物（食器洗浄組成物など）、布地ケア組成物（ヘビーデューティー液体洗剤組成物など）、又はこれらの混合物から選択してよい。
【００２３】
液体洗剤組成物は、約１〜約２０００センチポアズ（１〜２０００ｍＰａ・ｓ）、又は約２００〜約１４００センチポアズ、又は約２００〜約１０００センチポアズ、又は約２００〜約８００センチポアズ（２００〜１４００ｍＰａ・ｓ）の粘度を有し得る。粘度は、ブルックフィールド粘度計、２番スピンドルを使用し、６０ＲＰＭ／ｓで、２０℃にて測定して決定することができる。
【００２４】
液体洗剤組成物は等方性であってよい。液体組成物は、比較的透明又は半透明であってよい。本開示の洗剤組成物は、染料及び／又は乳白剤の非存在下において、ブランクとして脱イオン水を使用するＢｅｃｋｍａｎ  ＤＵ分光光度計を用いて、標準的な光路長１０ｍｍのキュベットを介して室温で測定した５７０ｎｍの波長において、約５０％超、又は約６０％超、又は約８０％超、又は約９０％超の透過率を特徴とし得る。透過率は、試験方法の章に記載される方法に従って決定される。
【００２５】
液体洗剤組成物は、約６．５〜約９、又は約７〜約９、又は約７．５〜約８．５のｐＨを特徴とし得る。ｐＨは、試験方法の項に提供される方法に従って測定される。
【００２６】
液体洗剤組成物は、界面活性剤系及び洗剤補助剤を含み得る。これら成分は、以下により詳細に記載される。
【００２７】
本開示は、それぞれが本開示によるＡＥＳを含有する液体洗剤組成物のアレイであって、第１の液体洗剤組成物が比較的多量の総界面活性剤（例えば、当該組成物の２０重量％超）を含み、第２の液体洗剤組成物が比較的少量の総界面活性剤（例えば、当該組成物の２０重量％未満）を含む、液体洗剤組成物のアレイを想到する。アレイは、陳列棚又は店舗棚に存在し得る。第１及び第２の液体洗剤は、例えば、３メートル以内、又は２メートル以内、又は１メートル以内など、互いに近接していてよい。
【００２８】
界面活性剤系
本開示の洗剤組成物は、界面活性剤系を含む。界面活性剤系は、洗剤組成物の意図される最終用途に好適な２つ以上の洗浄性界面活性剤を含み得る。
【００２９】
洗剤組成物は、任意の好適な量の界面活性剤を含み得る。洗剤組成物は、当該組成物の約１重量％〜約６０重量％、又は約５重量％〜約５０重量％、又は約８重量％〜約４０重量％の界面活性剤系を含み得る。洗剤組成物は、当該洗剤組成物の約５重量％〜約２０重量％、又は約５重量％〜約１７重量％、又は約８重量％〜約１５重量％、又は約１０重量％〜約１５重量％の界面活性剤系を含み得る。洗剤組成物は、界面活性剤が比較的少なくてよく（例えば、２０重量％未満）、これによって費用効率を高くすることができる。
【００３０】
界面活性剤系は、アルキルエトキシル化サルフェート（ＡＥＳ）界面活性剤、及び以下により詳細に記載される第２の界面活性剤を含み得る。
【００３１】
アルキルエトキシル化サルフェート界面活性剤（ＡＥＳ）
本開示の洗剤組成物及び／又は界面活性剤系は、アルキルエトキシル化サルフェート（ＡＥＳ）界面活性剤を含む。ＡＥＳ界面活性剤が、界面活性剤系の主要成分であってよく、これは、任意の他の単一界面活性剤よりも多くのＡＥＳ界面活性剤が存在することを意味する。本開示の洗剤組成物及び／又は界面活性剤系は、当該界面活性剤系の少なくとも約３０重量％、又は約４０重量％、又は約５０重量％、又は約６０重量％のＡＥＳ界面活性剤を含み得る。洗剤組成物は、当該洗剤組成物の約３重量％、又は約５重量％、又は約８重量％、又は約１０重量％約１９重量％、又は約１７重量％、又は約１５重量％、又は約１２重量％、又は約１０重量％までのＡＥＳ界面活性剤を含み得る。
【００３２】
ＡＥＳ界面活性剤は、複数のＡＥＳ化合物を含み、各ＡＥＳ化合物はアルキル鎖を含む。特定のＡＥＳ化合物のアルキル鎖は、別名アルキル鎖長としても知られている、アルキル部分における炭素の総数によって特徴付けることができる。所与の量のＡＥＳ界面活性剤は、特定の割合又は分布の範囲内である鎖長を有する様々なＡＥＳ化合物を含んでいてよい。したがって、所与の量又はサンプルのＡＥＳは、特定の鎖長を有するＡＥＳ化合物の分布、及び／又はアルキル部分における重量平均炭素数によって特徴付けることができる。
【００３３】
市販のＡＥＳ界面活性剤としては、Ｃ１２〜１５  ＡＥＳとして知られている１２〜１５の重量平均鎖長を有するＡＥＳ、又はＣ１２〜１４  ＡＥＳとして知られている１２〜１４の鎖長を有するＡＥＳを挙げることができる。これらのＡＥＳ界面活性剤は、１５の鎖長を有する少なくともいくつかのＡＥＳ化合物を含んでいる場合もあるが、典型的には、それに加えて比較的広範かつ多様な分布の他の鎖長を特徴とする。
【００３４】
対照的に、本開示のＡＥＳ界面活性剤は、アルキル鎖に１５個の炭素原子を有するＡＥＳ化合物（Ｃ１５  ＡＥＳ）を比較的高比率で含み得る。Ｃ１５  ＡＥＳは、比較的長いアルキル鎖がＡＥＳ界面活性剤の疎水性を増大させ、これによって脂汚れ除去などの改善された汚れ除去が得られ得るので、望ましい場合がある。ＡＥＳ界面活性剤は、当該ＡＥＳ界面活性剤の約４０重量％、又は約４５重量％から約７０重量％、又は約６０重量％までのＣ１５  ＡＥＳを含み得る。Ｃ１５  ＡＥＳは、ＡＥＳ界面活性剤の主要部分を構成してよく、これは、任意の他の単一の種類のＡＥＳ界面活性剤よりも多い重量のＣ１５  ＡＥＳ界面活性剤が存在することを意味する。Ｃ１５  ＡＥＳは、ＡＥＳ界面活性剤の重量の少なくとも半分、又は更には大部分を構成し得る。
【００３５】
本開示のＡＥＳ界面活性剤は、アルキル鎖に１４個の炭素原子を有するＡＥＳ化合物（Ｃ１４  ＡＥＳ）、例えば、当該ＡＥＳ界面活性剤の少なくとも約１重量％のＣ１４  ＡＥＳを含み得る。ＡＥＳ界面活性剤は、比較的限られた量のＣ１４  ＡＥＳを含み得る。例えば、ＡＥＳ界面活性剤は、当該ＡＥＳ界面活性剤の約３０重量％以下、又は約２５重量％以下、又は約２０重量％以下、又は約１５重量％以下、又は約１０重量％以下のＣ１４  ＡＥＳを含有し得る。組成物又は界面活性剤系が比較的高い比率のＣ１５  ＡＥＳを含む場合、例えば安定性の理由から、Ｃ１４  ＡＥＳの量を制限することが望ましい場合がある。
【００３６】
本開示のＡＥＳ界面活性剤は、アルキル鎖に１２個の炭素原子を有するＡＥＳ化合物（Ｃ１２  ＡＥＳ）、アルキル鎖に１３個の炭素原子を有するＡＥＳ化合物（Ｃ１３  ＡＥＳ）、又はこれらの混合物を含み得る。ＡＥＳ界面活性剤は、Ｃ１２  ＡＥＳ及びＣ１３  ＡＥＳの混合物を含んでいてもよい。ＡＥＳ界面活性剤は、当該ＡＥＳ界面活性剤の約２５重量％〜約５０重量％又は約３０重量％〜約４０重量％の、Ｃ１２  ＡＥＳ及びＣ１３  ＡＥＳの混合物を含み得る。比較的短い鎖長（例えば、１２個及び／又は１３個の炭素）を有するＡＥＳは、Ｃ１５  ＡＥＳの疎水性を相殺するのに役立ち得、その結果、例えば、より広い洗浄プロファイル及び／又はより良好な安定性プロファイルが得られる。更に又はあるいは、例えば、Ｃ１２  ＡＥＳ及び／又はＣ１３  ＡＥＳの存在は、ＡＥＳ界面活性剤の鎖長の重量平均分子量を相対的に（例えば、約２００〜約２２０ダルトンに）減少させるのに役立ち得る。
【００３７】
本開示のＡＥＳ界面活性剤は、アルキル鎖に１３個の炭素原子を有するＡＥＳ化合物（Ｃ１３  ＡＥＳ）を含み得る。比較的短いアルキル鎖は、ＡＥＳ界面活性剤の相対疎水性を低下させ、それによって、当該ＡＥＳ界面活性剤が様々な汚れを除去することを可能にする、及び／又はより疎水性のＡＥＳ界面活性剤よりも相対的に物理的により安定になることができるので、Ｃ１３  ＡＥＳが望ましい場合がある。ＡＥＳ界面活性剤は、当該ＡＥＳ界面活性剤の約１５重量％、又は約２０重量％、又は約２５重量％から約５０重量％、又は約４０重量％、又は約３５重量％まで、好ましくは約１５重量％〜約３５重量％のＣ１３  ＡＥＳを含み得る。Ｃ１３  ＡＥＳは、ＡＥＳ界面活性剤中に最も又は２番目に多いＡＥＳ化合物として存在し得、例えば、ＡＥＳ界面活性剤は、他の鎖長のＡＥＳと比較していずれも比較的高い濃度を有するＣ１５  ＡＥＳ及びＣ１３  ＡＥＳを最も多く含み得る。
【００３８】
本開示のＡＥＳ界面活性剤は、アルキル鎖に１２個の炭素原子を有するＡＥＳ化合物（Ｃ１２  ＡＥＳ）を含み得る。ＡＥＳ界面活性剤は、少なくとも約１重量％、又は少なくとも約３重量％、又は少なくとも約５重量％、又は少なくとも約１０重量％のＣ１２  ＡＥＳを含有し得る。ＡＥＳ界面活性剤は、約２０重量％以下、又は約１５重量％以下、又は約１２重量％以下、又は約１０重量％以下、又は約５重量％以下のＣ１２  ＡＥＳを含有し得る。ＡＥＳ界面活性剤は、当該ＡＥＳ界面活性剤の約１重量％、又は約３重量％から約２０重量％、又は約１５重量％まで、好ましくは約３重量％〜約１５重量％のＣ１２  ＡＥＳを含有し得る。Ｃ１２  ＡＥＳは、例えば、Ｃ１５  ＡＥＳの疎水性を相殺し、その結果、より広い洗浄プロファイル及び／又はより良好な安定性プロファイルをもたらすために望ましい場合がある。
【００３９】
本開示のＡＥＳ界面活性剤は、上記のＣ１５界面活性剤の量に加えて、Ｃ１２  ＡＥＳ、Ｃ１３  ＡＥＳ、及びＣ１４  ＡＥＳ界面活性剤のそれぞれを、ＡＥＳ界面活性剤の少なくとも１重量％含み得る。本開示のＡＥＳ界面活性剤は、Ｃ１２  ＡＥＳ、Ｃ１３  ＡＥＳ、Ｃ１４  ＡＥＳ、又はこれらの混合物、好ましくはこれらの混合物を、当該ＡＥＳ界面活性剤の約３０重量％〜約６０重量％含み得る。
【００４０】
本開示のＡＥＳ界面活性剤は、約１重量％〜約２０重量％のＣ１２  ＡＥＳ、約２５重量％〜約５０重量％のＣ１３  ＡＥＳ、約１重量％〜約１０重量％のＣ１４  ＡＥＳ、及び約４５重量％〜約６０重量％のＣ１５  ＡＥＳを含み得（各重量％はＡＥＳ界面活性剤の重量による）、約２０５〜約２２０、好ましくは約２０８〜約２１８の平均分子量を有するアルキル鎖長を特徴とし得るが、ただし、提供される重量％は、合計約９５重量％〜約１００重量％になり得る。
【００４１】
本開示のＡＥＳ界面活性剤は、アルキル鎖に１６個の炭素原子を有するＡＥＳ化合物（Ｃ１６  ＡＥＳ）を含み得る。例えば、より長い鎖長が相不安定性の原因となり得るので、存在するＣ１６の量が制限される場合もある。本開示のＡＥＳ界面活性剤は、当該ＡＥＳ界面活性剤の約０．１重量％から約５重量％未満、又は約３重量％未満、又は約１．５重量％未満、又は１重量％未満のＣ１６  ＡＥＳを含み得る。
【００４２】
本開示のＡＥＳ界面活性剤は、分布中のＡＥＳ化合物の鎖長の重量平均分子量によって特徴付けることができる。ＡＥＳ界面活性剤は、全体として、Ｃ１５  ＡＥＳの比較的高い比率を考慮して、予想し得るよりも低い重量平均分子量鎖長を特徴とする場合もある。
【００４３】
鎖長の重量平均分子量は、アルキル鎖及びヒドロキシル基からなる脂肪族アルコールの重量平均分子量を求めることによって決定することができる。このような方法で鎖長の分子量を計算することは、いくつかの利点を提示することができる。例えば、ＡＥＳ界面活性剤は、典型的には、アルコキシル化（例えば、エトキシル化）及び硫酸化されて最終ＡＥＳ化合物に到達する前に原材料として機能する、このような脂肪族アルコールから合成される。したがって、脂肪族アルコール原料に関する関連情報は、典型的には、原料の供給元及び／又はＡＥＳの製造業者から入手可能である。更に、ＡＥＳ界面活性剤自体の分子量ではなくアルキル鎖を含む脂肪族アルコールに基づく分子量を報告することは、可変的なアルコキシル化から生じる不確実性を除去するのに役立つ。例えば、Ｃ１５  ＡＥＳ材料は、１モルのエトキシル化を含むいくつかの分子、並びに２モル及び／又は３モルのエトキシル化を含む他の分子を含み得る。
【００４４】
例えば、Ｃ１５  ＡＥＳ化合物のアルキル鎖の分子量は、以下の実験式：Ｃ１５Ｈ３１ＯＨを有し得るＣ１５脂肪族アルコールに基づく。このようなＣ１５脂肪族アルコールは、約２２８ダルトンの分子量を有する。便宜上、表１は、いくつかの例示的な脂肪族アルコールの分子量を示す。
【００４５】
【表１】
2021511402.tif 000002
【００４６】
本開示のＡＥＳ界面活性剤は、約２００、又は約２０５、又は約２０８、又は約２１０、又は約２１１、約２１４から約２２０、又は約２１８、又は約２１５ダルトンまでの重量平均分子量を有する鎖長を特徴とし得、特定のアルキル鎖の分子量は、当該アルキル鎖を含む脂肪族アルコール（すなわち、アルキル鎖及びヒドロキシル基からなる脂肪族アルコール）の分子量に基づく。ＡＥＳ界面活性剤は、約２００〜約２２０、又は約２１０〜約２２０、又は約２１１〜約２１８ダルトンの重量平均分子量を有する鎖長を特徴とし得る。ＡＥＳ界面活性剤は、約２０８〜２１５ダルトン以下の重量平均分子量を有する鎖長を特徴とし得る。比較的低い重量平均分子量（例えば、２０８〜２１５ダルトン）の鎖長を特徴とするＡＥＳは、比較的多量の界面活性剤（例えば、２０重量％超）を有する洗剤組成物において特に好ましい場合があるが、その理由は、改善された物理的安定性を促進するためである。
【００４７】
ＡＥＳ界面活性剤は、そのエトキシル化度によって特徴付けることもできる。ＡＥＳ化合物の集団において、ＡＥＳ分子は様々なエトキシル化度を有し得る。したがって、所与の量又はサンプルのＡＥＳは、重量平均エトキシル化度によって特徴付けることもでき、当該エトキシル化度は、ＡＥＳ１モルあたりのエトキシ基（−Ｏ−ＣＨ２−ＣＨ２）のモル数として報告される。本開示のＡＥＳ界面活性剤は、約０．５〜約５、又は約１〜約３、又は約１．５〜約２．５の重量平均エトキシル化度を特徴とし得る。界面活性剤系中の直鎖状アルキルベンゼンスルホネート界面活性剤の量が少ないか又は存在しない場合、界面活性剤系は、比較的低いエトキシル化度を有するＡＥＳを含むことが好ましい場合があるが、それは、このようなＡＥＳが脂洗浄効果をもたらすことができるためである。
【００４８】
ＡＥＳは、エトキシル化されていないアルキルサルフェート（alkyl sulfate、「ＡＳ」）界面活性剤を少なくともいくらか含み得る。非エトキシル化ＡＳは、エトキシル化プロセス中の不完全な反応の結果として、及び／又は別個の成分として添加されたため、存在し得る。本開示の目的のために、（非エトキシル化）ＡＳは、濃度、鎖長分子量、及び／又はエトキシル化度を決定するとき、ＡＥＳ界面活性剤の一部であると見なされる。
【００４９】
ＡＥＳ界面活性剤は、直鎖状アルキル鎖を有するＡＥＳ化合物、分枝状アルキル鎖を有するＡＥＳ化合物、又はこれらの混合物を含み得る。ＡＥＳ界面活性剤は、Ｃ２位で分岐しているＡＥＳ界面活性剤を含み得、当該Ｃ２は、エトキシサルフェート頭部基から２番目に離れている炭素である（すなわち、エトキシサルフェート頭部基に隣接する炭素がＣ１位に存在する）。ＡＥＳ界面活性剤は、当該ＡＥＳ界面活性剤の約１０重量％〜約３０重量％の、Ｃ２位で分岐しているＡＥＳ界面活性剤を含み得る。分岐状アルキル鎖は、ＡＥＳ界面活性剤の洗浄プロファイルを改善し得る及び／又は広げ得る。また、ＡＥＳ化合物の直鎖状アルキル部分が好ましい場合もある。ＡＥＳ界面活性剤の少なくとも約５０重量％、又は少なくとも約７５重量％、又は少なくとも約９０重量％、又は少なくとも約９５重量％、又は約１００重量％のＡＥＳ化合物が、直鎖状アルキル鎖であるアルキル鎖を有し得る。ＡＥＳは、Ｃ１５  ＡＥＳの混合物を含み得、Ｃ１５  ＡＥＳのうちの少なくとも６０重量％のＣ１５  ＡＥＳは直鎖状であり、Ｃ１５  ＡＥＳのうちの少なくとも１０重量％のＣ１５  ＡＥＳは分岐している、好ましくはＣ２位で分岐している。ＡＥＳは、Ｃ１３  ＡＥＳの混合物を含み得、Ｃ１３  ＡＥＳのうちの少なくとも６０重量％のＣ１３  ＡＥＳは直鎖状であり、Ｃ１３  ＡＥＳのうちの少なくとも１０重量％のＣ１３  ＡＥＳは分岐している、好ましくはＣ２位で分岐している。
【００５０】
上記のとおり、ＡＥＳ化合物は、典型的には、エトキシル化脂肪族アルコールを硫酸化することによって製造される。まず、脂肪族アルコールを提供し、次いで、公知の方法に従ってエトキシル化してよい。したがって、ＡＥＳ化合物、又は当該ＡＥＳ化合物の少なくともアルキル鎖は、それが由来する源、例えば油又は脂肪族アルコールの観点で説明することができる。本開示のＡＥＳ化合物は、非石油源、好ましくは天然源に由来するアルキル鎖を含み得る。本開示のＡＥＳは、天然由来のアルキル鎖を含むＡＥＳと、合成由来（例えば、石油由来）のＡＥＳのアルキル鎖を含むＡＥＳとの混合物を含み得、このような混合物は、例えば、１種類のＡＥＳの不足を別の種類によって穴埋め（back-filled）することができるように、サプライチェーンのばらつき、混乱、及び／又は価格変動を考慮するのに有用であり得る。
【００５１】
天然源としては、植物又は動物源、好ましくは植物に由来する油を挙げることができる。植物油の代表的な非限定例としては、キャノーラ油、ナタネ油、ココヤシ油、コーン油、綿実油、オリーブ油、パーム油、ピーナッツ油、サフラワー油、ゴマ油、大豆油、ヒマワリ油、アマニ油、パーム核油、キリ油、ジャトロファ油、カラシ油、グンバイナズナ油、椿油、ヒマシ油、又はこれらの混合物が挙げられる。好適な原料油としては、典型的には、好適なメタセシス触媒の存在下でメタセシス反応から形成されるメタセシス化油を挙げることができる。アルキル部分は、ココヤシ油、パーム核油、又はこれらの混合物、好ましくはココヤシ油、パーム核油、又はこれらの混合物に由来していてよい。このような起源は、化石燃料に依存しないので、環境及び／又は持続可能性の理由から望ましい場合がある。更に、天然源由来のＡＥＳ化合物のアルキル鎖は、典型的には、偶数個の炭素原子を含有する。
【００５２】
アルキル鎖の他の源（例えば、原料アルコール）は、市販のアルコール、例えば、Ｓｈｅｌｌによって販売されているもの（例えば、商標名Ｎｅｏｄｏｌ（商標）、例えば、Ｎｅｏｄｏｌ（商標）２３、Ｎｅｏｄｏｌ（商標）３、Ｎｅｏｄｏｌ（商標）４５、及び／又はＮｅｏｄｏｌ（商標）５）、及び／又はＳａｓｏｌによって販売されているもの（例えば、Ｌｉａｌ（商標）、Ｉｓａｌｃｈｅｍ（商標）、Ｓａｆｏｌ（商標）など）を含み得る。
【００５３】
本開示のＡＥＳは、フィッシャー・トロプシュ法から得られたものでなくてもよい。本開示のＡＥＳは、周知のシェル改変オキソ法から得られたものであってよい。本開示のＡＥＳは、チーグラー法から得られたＡＥＳを含んでいてよい。
【００５４】
本開示のＡＥＳは、酸形態、塩形態（例えば、中和された）、又はこれらの混合物で存在し得る。塩形態のＡＥＳは、アルカリ金属塩、好ましくは、ナトリウム塩、アンモニウム塩、又はアルカノールアミン塩であってよい。
【００５５】
第２の界面活性剤
本開示の洗剤組成物及び／又は界面活性剤系は、ＡＥＳに加えて少なくとも第２の界面活性剤を含んでいてよい。第２の界面活性剤は、非石油源、好ましくは天然源に由来していてよい。好適な天然源は、上記のとおりである。
【００５６】
第２の界面活性剤は、界面活性剤系の約０．１重量％〜約９０重量％、又は約０．１重量％〜約７５重量％、又は約２０重量％〜約５０重量％の濃度で界面活性剤系中に存在していてよい。第２の界面活性剤は、洗剤組成物の約１重量％〜約５０重量％、又は約５重量％〜約４０重量％、又は約１０重量％〜約３０重量％、又は約１５重量％〜約２５重量％の濃度で洗剤組成物中に存在していてよい。
【００５７】
第２の界面活性剤は、任意の好適な洗浄性界面活性剤であってよい。第２の界面活性剤は、アニオン性界面活性剤、非イオン性界面活性剤、双性イオン性界面活性剤、両性界面活性剤、カチオン性界面活性剤、又はこれらの混合物、好ましくは、アニオン性、非イオン性、又は双性イオン性界面活性剤から選択してよい。第２の界面活性剤は、アルキルベンゼンスルホネート、エトキシル化アルコール非イオン性界面活性剤、アミンオキシド、メチルエステルスルホネート、糖脂質界面活性剤、アルキルポリグルコシド界面活性剤、又はこれらの組み合わせから選択してよい。第２の界面活性剤は、アルキルベンゼンスルホネート、エトキシル化アルコール非イオン性界面活性剤、アミンオキシド界面活性剤、及びこれらの混合物からなる群から選択してよい。
【００５８】
第２の界面活性剤は、アルキルベンゼンスルホネート界面活性剤を含んでいてよい。アルキル基は、直鎖（直鎖状）又は分枝鎖状の構造において約９〜約１５個の炭素原子を含有していてよい。アルキル基は、直鎖状であってもよい。かかる直鎖状アルキルベンゼンスルホネートは、「ＬＡＳ」として既知である。直鎖状アルキルベンゼンスルホネートは、アルキル基中に約１１〜１４個の平均炭素原子数を有してもよい。直鎖状直鎖アルキルベンゼンスルホネートは、アルキル基中約１１．８個の炭素原子の平均炭素原子数を有してもよく、Ｃ１１．８  ＬＡＳと略称される場合がある。アルキルベンゼンスルホネートは、少なくとも部分的に、アルカリ金属塩、好ましくはナトリウム塩、又はアミン塩、例えばモノエタノールアミン塩などのエタノールアミン塩などの塩として存在していてよい。
【００５９】
ＬＡＳは、ＡＥＳとＬＡＳとの重量比が約１：１、又は約２：１から約１０：１、又は約８：１、又は約５：１になるような量で存在し得る。界面活性剤系は、２５％未満、又は１０％未満、又は５％未満、又は１％未満の直鎖状アルキルベンゼンスルホネート（ＬＡＳ）を含んでいてよい。ＬＡＳは、典型的には、脂染みなどの疎水性の染みに対する洗浄効果をもたらすので、低濃度のＬＡＳの場合（少しでもあれば）、ＡＥＳは、約０．５〜約３．０、又は約０．５〜約２．０、又は約０．５〜約１．５の平均エトキシル化度を特徴とすることが好ましい場合があるが、それは、より低いＡＥＳエトキシル化度が疎水性の染みの除去効果をもたらすのに役立ち得ると考えられるためである。
【００６０】
第２の界面活性剤は、アミンオキシド界面活性剤を含み得る。好ましいアミンオキシドは、アルキルジメチルアミンオキシド又はアルキルアミドプロピルジメチルアミンオキシド、より好ましくはアルキルジメチルアミンオキシド、特にココジメチルアミンオキシドである。アミンオキシドは、直鎖状又は中鎖分岐状アルキル部分を有し得る。典型的な直鎖状アミンオキシドとしては、１つのＲ１  Ｃ８〜１８アルキル部分と、Ｃ１〜３アルキル基及びＣ１〜３ヒドロキシアルキル基からなる群から選択される２つのＲ２及びＲ３部分とを含有する水溶性アミンオキシドが挙げられる。好ましくは、アミンオキシドは、式Ｒ１−Ｎ（Ｒ２）（Ｒ３）Ｏにより特徴付けられ、式中、Ｒ１はＣ８〜１８アルキルであり、Ｒ２及びＲ３は、メチル、エチル、プロピル、イソプロピル、２−ヒドロキシエチル、２−ヒドロキシプロピル及び３−ヒドロキシプロピルからなる群から選択される。直鎖状アミンオキシド系界面活性剤としては、特に、直鎖状Ｃ１０〜Ｃ１８アルキルジメチルアミンオキシド及び直鎖状Ｃ８〜Ｃ１２アルコキシエチルジヒドロキシエチルアミンオキシドを挙げることができる。好ましいアミンオキシドとしては、直鎖状Ｃ１０、直鎖状Ｃ１０〜Ｃ１２、及び直鎖状Ｃ１２〜Ｃ１４アルキルジメチルアミンオキシドが挙げられる。本明細書で使用する場合、「中鎖分岐状（mid-branched）」とは、アミンオキシドが、ｎ１個の炭素原子を有する１つのアルキル部分を有し、このアルキル部分における１つのアルキル分岐がｎ２個の炭素原子を有することを意味する。アルキル分岐は、アルキル部分上で、窒素に結合したα炭素上に位置する。アミンオキシドにおけるこの種の分枝は、当該技術分野において、内部アミンオキシドとしても知られている。本開示の組成物は、当該組成物の約０．１重量％から約５重量％、又は約３重量％、又は約１重量％までのアミンオキシドを含んでいてよい。
【００６１】
第２の界面活性剤は、非イオン性界面活性剤を含み得る。非イオン性界面活性剤は、エトキシル化アルコール界面活性剤、及び／又は式Ｒ（ＯＣ２Ｈ４）ｎＯＨ（式中、Ｒは、約８個〜約１５個の炭素原子を含有する脂肪族炭化水素ラジカル、及びアルキル基が約８個〜約１２個の炭素原子を含有するアルキルフェニルラジカルからなる群から選択され、ｎの平均値は、約５〜約１５である）のエトキシル化アルキルフェノールであってよい。
【００６２】
非イオン性界面活性剤は、エトキシル化アルコールであってよい。例えば、非イオン性界面活性剤は、アルコール（アルキル部分）に平均約１２個〜１４個の炭素原子を有し、アルコール１モル当たり約７モル〜９モルのエチレンオキシドの平均エトキシル化度を有するエトキシル化アルコールから選択してよい。
【００６３】
非イオン性界面活性剤の他の非限定例としては、Ｃ１２〜Ｃ１８アルキルエトキシレート、例えば、Ｓｈｅｌｌ製のＮＥＯＤＯＬ（登録商標）非イオン性界面活性剤；Ｃ６〜Ｃ１２アルキルフェノールアルコキシレート（ここで、アルコキシレート単位はエチレンオキシ単位とプロピレンオキシ単位の混合物である）；Ｃ１２〜Ｃ１８アルコール、及びエチレンオキシド／プロピレンオキシドブロックポリマーとのＣ６〜Ｃ１２アルキルフェノール縮合物、例えば、ＢＡＳＦ製のＰｌｕｒｏｎｉｃ（登録商標）；Ｃ１４〜Ｃ２２中鎖分岐状アルコール；Ｃ１４〜Ｃ２２中鎖分岐状アルキルアルコキシレート（ＢＡＥｘ、ただし、ｘは１〜３０である）；アルキル多糖類、具体的にはアルキルポリグリコシド；ポリヒドロキシ脂肪酸アミド、並びにエーテルキャップ化ポリ（オキシアルキル化）アルコール界面活性剤が挙げられる。
【００６４】
界面活性剤系は、カチオン性界面活性剤を含み得る界面活性剤を含み得る。カチオン性界面活性剤の非限定的な例としては、四級アンモニウム界面活性剤が挙げられ、これは２６個以下の炭素原子を有し得、アルコキシレート四級アンモニウム（ＡＱＡ）界面活性剤；ジメチルヒドロキシエチル四級アンモニウム界面活性剤；ジメチルヒドロキシエチルラウリルアンモニウムクロリド；ポリアミンカチオン性界面活性剤；カチオン性エステル界面活性剤；及びアミノ界面活性剤、例えば、アミドプロピルジメチルアミン（amido propyldimethyl amine、ＡＰＡ）が挙げられる。本開示の組成物は、カチオン性界面活性剤及び／又はｐＨ７未満若しくはｐＨ６未満でカチオン性になる界面活性剤を実質的に含んでいなくてよいが、それは、カチオン性界面活性剤がアニオン性界面活性剤などの他の成分と負の相互作用をする可能性があるためである。
【００６５】
界面活性剤系は、双性イオン性界面活性剤を含み得る。双性イオン性界面活性剤の例としては、二級及び三級アミン誘導体、複素環式二級及び三級アミン誘導体、又は四級アンモニウム化合物、四級ホスホニウム化合物若しくは三級スルホニウム化合物の誘導体が挙げられる。双性イオン性界面活性剤は、アルキルジメチルベタイン、ココジメチルアミドプロピルベタインを含むベタイン、並びにＣ８〜Ｃ１８（例えば、Ｃ１２〜Ｃ１８）アミンオキシド、並びにＮ−アルキル−Ｎ，Ｎ−ジメチルアミノ−１−プロパンスルホネート（アルキル基は、Ｃ８〜Ｃ１８又はＣ１０〜Ｃ１４であってよい）などのスルホ及びヒドロキシベタインを含み得る。
【００６６】
界面活性剤系は、分岐状界面活性剤を含んでいてよい。好適な分岐状界面活性剤としては、疎水性物質鎖に沿ってランダムに分布しているメチル分岐を含む非スルホン化Ｃ１２／１３アルコール系界面活性剤、例えば、Ｓａｓｏｌから入手可能なＳａｆｏｌ（登録商標）、Ｍａｒｌｉｐａｌ（登録商標）を挙げることができる。更に好適な追加の分岐状アニオン性洗浄性界面活性剤としては、オキソ法から得られる、２−アルキル位で分岐しているアルコールに由来する非スルホン化界面活性剤、例えば、商標名Ｉｓａｌｃｈｅｍ（登録商標）１２３、Ｉｓａｌｃｈｅｍ（登録商標）１２５、Ｉｓａｌｃｈｅｍ（登録商標）１４５、Ｉｓａｌｃｈｅｍ（登録商標）１６７で販売されているものが挙げられる。オキソ法に起因して、分岐は２−アルキル位に位置している。これらの２−アルキル分岐アルコールは、通常、長さＣ１１〜Ｃ１４／Ｃ１５の範囲であり、全て２−アルキル位置で分岐した構造異性体を含む。追加の好適な非スルホン化分岐状アニオン性洗浄性界面活性剤としては、イソプレノイド系多分岐洗剤アルコールの界面活性剤誘導体、アンテイソ及びイソ−アルコール由来の分岐状界面活性剤、並びに／又はゲルベアルコール系界面活性剤を挙げることができる。界面活性剤系は、修飾アルキルベンゼンスルホネート（modified alkylbenzene sulfonate、ＭＬＡＳ）などの他の分岐状界面活性剤を含んでいてもよい。
【００６７】
他の有用な界面活性剤としては、ラムノリピド及び／又はソホロリピッドなどの糖脂質界面活性剤を挙げることができる。このような界面活性剤は、天然由来（例えば、微生物由来）であり得るので、特に有用であり得る。
【００６８】
洗剤補助剤
界面活性剤組成物は、少なくとも１つの洗剤補助剤を更に含んでいてよい。洗剤補助剤は、組成物の意図される使用に好適な濃度で組成物中に存在していてよい。典型的な使用濃度は、蛍光増白剤などの補助剤についての組成物の０．００１重量％から、ビルダーについての組成物の５０重量％までの範囲である。
【００６９】
少なくとも１つの洗剤補助剤は、脂肪酸及び／又はその塩、酵素、封入有益剤、汚れ放出ポリマー、色調剤、ビルダー、キレート剤、移染阻害剤、分散剤、酵素安定剤、触媒材料、漂白剤、漂白触媒、漂白活性化剤、ポリマー分散剤、汚れ除去／再付着防止剤、ポリマー分散剤、ポリマー脂洗浄剤、増白剤、抑泡剤、染料、色調剤、香料、構造弾性化剤、布地柔軟剤、担体、充填剤、ヒドロトロープ、溶媒、抗菌剤及び／又は防腐剤、中和剤及び／又はｐＨ調整剤、加工助剤、充填剤、レオロジー調整剤又は構造剤、乳白剤、パールエッセンス剤、顔料、防食及び／又は耐変色剤、並びにこれらの混合物からなる群から選択してよい。少なくとも１つの洗剤補助剤は、構造化剤、ビルダー、布地柔軟剤、ポリマー又はオリゴマー、酵素、酵素安定剤、漂白系、増白剤、色調剤、キレート剤、抑泡剤、コンディショニング剤、保湿剤、香料、封入香料、充填剤又は担体、アルカリ性系、ｐＨ制御系、緩衝剤、アルカノールアミン、溶媒、及びこれらの混合物からなる群から選択される少なくとも１つの洗剤補助剤であってよい。
【００７０】
少なくとも１つの洗剤補助剤は、外部構造化系、酵素、封入有益剤、汚れ放出ポリマー、色調剤、及びこれらの混合物を含んでいてよい。封入有益剤は、封入香料であってもよく、好ましくは当該封入香料がコアを取り囲むシェルを含み、好ましくは当該シェルがアミン化合物を含まず、好ましくは当該シェルがアクリレートポリマーを含む封入香料であってよい。
【００７１】
本開示の組成物は、溶媒、好ましくは非アミノ官能性有機溶媒などの有機溶媒を含んでいてよい。好適な有機溶媒としては、グリセロール、エチレングリコール、１，３プロパンジオール、１，２プロパンジオール、テトラメチレングリコール、ペンタメチレングリコール、ヘキサメチレングリコール、２，３−ブタンジオール、１，３ブタンジオール、ジエチレングリコール、トリエチレングリコール、ポリエチレングリコール、グリセロールホルマルジプロピレングリコール、ポリプロピレングリコール、ジプロピレングリコールｎ−ブチルエーテル、及びこれらの混合物を挙げることができる。溶媒は、安定性及び／又は粘度を所望のレベルにするのを支援するために有用であり得る。
【００７２】
本開示の組成物は、上記のとおり、アルコキシル化ポリエチレンイミン（polyethyleneimine、ＰＥＩ）ポリマーなどのアルコキシル化ポリアルキレンイミンポリマーを含み得る。このようなＰＥＩポリマーは、組成物の粘度変化を促進し得る。アルコキシル化ポリアルキレンイミンは、組成物の約０．１重量％〜約５重量％、又は約０．５重量％〜約４．５重量％、好ましくは約０．７５重量％〜約１．５重量％の濃度で組成物中に存在してもよい。アルコキシル化ポリアルキレンイミンポリマー、好ましくはアルコキシル化ＰＥＩは、エトキシレート（ＥＯ）基、プロポキシレート（ＰＯ）基、又はこれらの組み合わせを含んでいてよい。アルコキシル化ポリアルキレンイミンポリマー、好ましくはアルコキシル化ＰＥＩは、エトキシレート（ＥＯ）基を含んでいてよい。アルコキシル化ポリアルキレンイミンポリマー、好ましくはアルコキシル化ＰＥＩは、プロポキシレート（ＰＯ）基を含んでいなくてもよい。アルコキシル化ポリアルキレンイミンポリマー、好ましくはアルコキシル化ＰＥＩは、平均してアルコキシル化窒素あたり、約１〜５０個のエトキシレート（ＥＯ）基及び約０〜３０個のプロポキシレート（ＰＯ）基を含み得る。アルコキシル化ポリアルキレンイミンは、直鎖状、分岐状、又はこれらの組み合わせであってよく、好ましくは分岐状である。ＰＥＩ６００  ＥＯ２０及び／又はＰＥＩ６００  ＥＯ２４  ＰＯ１６などの好適なアルコキシル化ポリアルキレンイミンは、ＢＡＳＦ（Ｌｕｄｗｉｇｓｈａｆｅｎ，Ｇｅｒｍａｎｙ）から入手可能である。
【００７３】
特に、主に天然又は持続可能な起源に由来する洗剤が望ましい場合、特定の補助剤を制限又は更には排除することが望ましい場合がある。本開示の洗剤組成物は、シリコーン、染料、増白剤、又はこれらの組み合わせを含んでいなくてもよい。本開示の洗剤組成物は、当該組成物の５重量％未満、又は３重量％未満、又は１重量％未満のアミン含有化合物を含んでいてよいが、ただし、アミンオキシド界面活性剤（存在する場合）はアミン含有化合物の総量に含まれない。
【００７４】
上記のとおり、ＡＥＳ界面活性剤の選択は、特定の洗剤製剤において粘度を上昇させるのに役立ち得る。したがって、特に、染み除去などの性能効果が得られることなく追加費用を負担することになる場合、外部構造化剤が必要ない場合もある。本開示の洗剤組成物は、外部構造化剤を実質的に含んでいなくてよい。外部構造化剤としては、高分子構造化剤、非高分子結晶性ヒドロキシ官能性構造化剤、ミクロフィブリル化セルロース（microfibrillated cellulose、ＭＦＣ）、又はこれらの組み合わせが挙げられる。
【００７５】
洗剤組成物において粘度を上昇させるために、塩化ナトリウムなどの無機塩が使われることも多い。しかし、このような塩は、染み除去などの性能効果を与えない。ＡＥＳ界面活性剤の選択は特定の洗剤製剤において粘度を上昇させるのに役立ち得るので、本開示の液体洗剤組成物は、当該液体洗剤組成物の約２重量％以下、又は約１重量％以下、又は約０．５重量％以下、又は約１重量％以下の無機塩を含み得る。
【００７６】
洗剤ペースト
本開示は、洗剤ペースト組成物にも関する。このような洗剤ペーストは、比較的濃縮された量のＡＥＳ界面活性剤を含み得る。このような濃縮組成物は、運搬費を節約し、担体などのあまり望ましくない及び／又は不活性な材料を取り入れることなく、所望の濃度で製品組成物に組み込むために有用である。洗剤ペーストを他の界面活性剤及び／又は洗剤補助剤と組み合わせてもよく、その結果、本開示に従い得る洗剤組成物が得られる。
【００７７】
本開示の洗剤ペーストは、当該ペーストの約４５重量％、又は約５０重量％、又は約５５重量％から約１００重量％、又は約９０重量％、又は約８０重量％、又は約７０重量％、又は約６０重量％までのＡＥＳ界面活性剤を含み得る。ＡＥＳ界面活性剤は、当該ＡＥＳ界面活性剤の約４０重量％〜約７０重量％のＣ１５  ＡＥＳを含み得る。ＡＥＳ界面活性剤は、当該ＡＥＳ界面活性剤の約１５重量％〜約４０重量％のＣ１３  ＡＥＳを含み得る。ＡＥＳ界面活性剤は、アルキル鎖を含む脂肪族アルコールの分子量に基づいて、約２００〜約２２０ダルトンの重量平均分子量を有する鎖長を特徴とし得る。ＡＥＳ界面活性剤は、約０．５〜約５の重量平均エトキシル化度を更に特徴とし得る。好適なＡＥＳ界面活性剤については、上により詳細に記載する。
【００７８】
本開示の洗剤ペースト組成物は、当該組成物の約１重量％、又は約２重量％から約２５重量％、又は約２０重量％、又は約１５重量％、又は約１０重量％、又は約５重量％、又は約２重量％までの追加材料を含んでいてもよい。例えば、ペーストは、更に、アルキルベンゼンスルホネート界面活性剤などの第２の界面活性剤、腐食剤、アルコキシル化ポリアルキレンイミン（ＰＥＩ）ポリマー、非アミノ官能性有機溶媒、水、又はこれらの組み合わせを含んでいてもよい。濃縮ＡＥＳ界面活性剤組成物は、他の洗剤補助材料を実質的に含んでいなくてもよい。
【００７９】
本開示による洗剤ペーストは、直鎖状アルキルベンゼンスルホネート界面活性剤（ＬＡＳ）などのアルキルベンゼンスルホネート界面活性剤を含み得る。直鎖状アルキルベンゼンスルホネート界面活性剤は、組成物の約０重量％〜約１５重量％、又は約２重量％〜約１５重量％、又は約５重量％〜約１２重量％の濃度で存在することができる。ＬＡＳは、洗剤ペーストの粘度変化を促進し得る。洗剤ペースト組成物は、他のアニオン性、非イオン性、両性、カチオン性界面活性剤、及び／又は双性イオン性界面活性剤などの他の界面活性剤を実質的に含んでいなくてもよい。
【００８０】
濃縮ＡＥＳ界面活性剤の少なくとも一部は、好ましくは水酸化ナトリウムなどの苛性剤で中和されてもよい。濃縮ＡＥＳ界面活性剤の少なくとも一部は、塩形態、好ましくはナトリウム塩形態で存在していてよい。
【００８１】
本開示の濃縮ＡＥＳ界面活性剤組成物は、上記ＰＥＩポリマーなどのアルコキシル化ポリアルキレンイミンポリマーを含み得る。このようなＰＥＩポリマーは、洗剤ペーストの粘度変化を促進し得る。アルコキシル化ポリアルキレンイミンは、濃縮ＡＥＳ界面活性剤組成物の約０．１重量％〜約５重量％、又は約０．５重量％〜約４．５重量％、又は約０．７５重量％〜約１．５重量％の濃度で当該組成物中に存在し得る。
【００８２】
洗剤ペーストは、限られた数の成分を有していてよく、これによって、最終製品（又は複数の最終製品）における配合の柔軟性を最大化することができる。濃縮ＡＥＳ界面活性剤は、組成物中に存在し得る反応副生成物又は未反応の反応物質を含まずに、約５成分以下、又は約４成分以下、又は約３成分以下を有していてよい。
【００８３】
洗剤組成物の製造方法
本開示は、本明細書に記載される界面活性剤系を含む洗剤組成物の製造方法に関する。当該方法は、本明細書に記載される組成物の成分を、記載される割合で組み合わせることを含んでいてよい。当該方法は、第１の量の本明細書に記載のＡＥＳ界面活性剤を含む第１の洗剤組成物と、第２の量の本明細書に記載のＡＥＳ界面活性剤を含む第２の洗剤組成物とを作製することを含み得る。第１及び第２の洗剤組成物は、含み得る。
【００８４】
例えば、本開示による洗剤組成物を製造するプロセスは、本開示によるＡＥＳ界面活性剤又は洗剤ペーストを提供することと、任意選択で、第２の界面活性剤を提供することと、当該界面活性剤又はペーストを１つ以上の洗剤補助剤と合わせて洗剤組成物を形成することと、を含み得る。ＡＥＳ界面活性剤は、当該ＡＥＳ界面活性剤の約４０重量％〜約７０重量％の、アルキル鎖に１５個の炭素原子を有するＡＥＳ化合物（Ｃ１５  ＡＥＳ）を含み得る。ＡＥＳ界面活性剤は、当該ＡＥＳ界面活性剤の約３０重量以下の、アルキル鎖に１４個の炭素原子を有するＡＥＳ化合物（Ｃ１４  ＡＥＳ）を含み得る。ＡＥＳ界面活性剤は、当該ＡＥＳ界面活性剤の約１５重量％〜約４０重量％の、アルキル鎖に１３個の炭素原子を有するＡＥＳ化合物（Ｃ１３  ＡＥＳ）を含み得る。ＡＥＳ界面活性剤は、アルキル鎖を含む脂肪族アルコールの重量平均分子量（ＭＷ）に基づいて、約２００〜約２２０ダルトンの重量平均分子量を有する鎖長を特徴とし得る。ＡＥＳ界面活性剤は、約０．５〜約５の平均エトキシル化度を更に特徴とし得る。
【００８５】
洗剤組成物の製造プロセスは、本開示によるＡＥＳ界面活性剤（例えば、Ｃ１５  ＡＥＳを比較的多く含む）を、第２のＡＥＳ界面活性剤（例えば、Ｃ１５  ＡＥＳが少ないもの）、非エトキシル化アルキルサルフェート界面活性剤、又はこれらの組み合わせと合わせる工程を含み得る。ＡＥＳの異なるサンプルを合わせることにより、更なる安定性及び／又は性能効果を提供することができる。
【００８６】
本開示に係る液体組成物は、従来の方法に従って、例えば、バッチプロセス又は連続ループプロセスで製造してよい。
【００８７】
本明細書に記載される洗剤組成物を小袋、好ましくは水溶性フィルムで作製された小袋に封入して、布地を処理するために使用することができる単位用量物品を形成することができる。このような組成物は、比較的少量の水、例えば、洗剤組成物の約２０重量％未満、又は約１５重量％未満、又は約１２重量％未満、又は約１０重量％未満、又は約８重量％未満の水を有することが好ましい。
【００８８】
洗剤組成物の使用方法
本開示は、本明細書に記載される洗剤組成物の使用方法に関する。洗剤組成物は、布地又は硬質面などの表面を処理するために使用することができる。
【００８９】
表面を処理する方法は、表面、好ましくは布地を提供する工程と、当該表面を上記の洗剤組成物と接触させる工程と、を含んでいてよい。表面、好ましくは布地は、脂汚れを含んでいてよい。当該方法は、水の存在下で布地を撹拌することを含んでいてよい。当該方法は、洗浄又は清浄化の操作を実施する工程を更に含んでいてもよい。接触工程の前、間、又は後に水を添加して、洗浄液を形成してもよい。
【００９０】
本開示はまた、本開示に係る組成物を使用して、布地、好ましくは汚れた布地を、例えば機械によって洗浄する方法であって、本開示に係る洗剤組成物を、洗浄する布地と接触させる工程と、洗浄又は清浄化の操作を実施する工程と、を含む方法に関する。
【００９１】
任意の好適な洗濯機、例えば、トップローディング又はフロントローディング自動洗濯機を使用することができる。当業者は、関連の洗浄作業に好適な洗濯機を認識するであろう。本開示の物品は、布地添加剤、布地柔軟剤、すすぎ補助剤などの他の組成物と組み合わせて使用してもよい。更に、本開示の洗剤組成物は既知の手洗い方法で使用してもよい。
【００９２】
本開示はまた、布地を処理する方法であって、布地を本明細書に記載される洗剤組成物と接触させる工程と、洗浄工程を実施する工程と、次いで、当該布地を布地柔軟化組成物と接触させる工程と、を含む方法を目的とし得る。方法全体、又は少なくとも洗浄工程は、手動で実施してもよく、機械で支援してもよく、又は自動洗濯機で行ってもよい。布地に布地柔軟化組成物を接触させる工程は、例えば、自動洗濯機のすすぎサイクル中に、水の存在下において実行され得る。
【００９３】
組み合わせ
本開示の具体的に想到される組み合わせを、ここで以下のアルファベットを付した項に記載する。これらの組み合わせは、事実上例示的なものであり、限定的であることを意図したものではない。
【００９４】
Ａ．液体洗剤組成物であって、当該洗剤組成物の約５重量％〜２０重量％未満の、アルキルエトキシル化サルフェート（「ＡＥＳ」）界面活性剤及び第２の界面活性剤を含む界面活性剤系であって、当該ＡＥＳ界面活性剤が複数のＡＥＳ化合物を含み、各ＡＥＳ化合物がアルキル鎖を含み、当該ＡＥＳ界面活性剤が、当該ＡＥＳ界面活性剤の約４０重量％〜約７０重量％の、当該アルキル鎖に１５個の炭素原子を有するＡＥＳ化合物（Ｃ１５  ＡＥＳ）を含み、当該ＡＥＳ界面活性剤が、当該ＡＥＳ界面活性剤の約３０重量％以下の、当該アルキル鎖に１４個の炭素原子を有するＡＥＳ化合物（Ｃ１４  ＡＥＳ）を含み、当該ＡＥＳ界面活性剤が、当該アルキル鎖を含む脂肪族アルコールの重量平均分子量に基づいて、約２００〜約２２０ダルトンの重量平均分子量（ＭＷ）を有する鎖長を特徴とする、界面活性剤系と、洗剤補助剤と、を含む、液体洗剤組成物。
【００９５】
Ｂ．当該組成物が、当該洗剤組成物の約５重量％〜約１７重量％、又は約８重量％〜約１５重量％、又は約１０重量％〜約１５重量％の界面活性剤系を含む、段落Ａに記載の液体洗剤組成物。
【００９６】
Ｃ．当該界面活性剤系が、当該界面活性剤組成物の少なくとも約３０重量％、好ましくは少なくとも約６０重量％のＡＥＳ界面活性剤を含む、段落Ａ〜Ｂのいずれかに記載の液体洗剤組成物。
【００９７】
Ｄ．当該ＡＥＳ界面活性剤が、当該ＡＥＳ界面活性剤の約４５重量％〜約６０重量％、好ましくは約５０重量％〜約６０重量％のＣ１５  ＡＥＳを含む、段落Ａ〜Ｃのいずれか１つに記載の液体洗剤組成物。
【００９８】
Ｅ．当該ＡＥＳ界面活性剤が、アルキル鎖に１２個の炭素原子を有するＡＥＳ化合物（Ｃ１２  ＡＥＳ）、アルキル鎖に１３個の炭素原子を有するＡＥＳ化合物（Ｃ１３  ＡＥＳ）、又はこれらの混合物を含む、段落Ａ〜Ｄのいずれか１つに記載の液体洗剤組成物。
【００９９】
Ｆ．当該ＡＥＳ界面活性剤が、当該ＡＥＳ界面活性剤の約２５重量％〜約５０重量％のＣ１２  ＡＥＳとＣ１３  ＡＥＳとの混合物を含む、段落Ａ〜Ｅのいずれか１つに記載の液体洗剤組成物。
【０１００】
Ｇ．当該ＡＥＳ界面活性剤が、当該ＡＥＳ界面活性剤の約１５重量％〜約５０重量％、又は約２５重量％〜約５０重量％、又は約２５重量％〜約４０重量％、又は約３０重量％〜約４０重量％の、アルキル鎖に１３個の炭素原子を有するＡＥＳ化合物（Ｃ１３  ＡＥＳ）を含む、段落Ａ〜Ｆのいずれか１つに記載の液体洗剤組成物。
【０１０１】
Ｈ．当該ＡＥＳ界面活性剤が、当該ＡＥＳ界面活性剤の約２５重量％以下、又は約２０重量％以下、又は約１５重量％以下、又は約１０重量％以下のＣ１４  ＡＥＳを含む、段落Ａ〜Ｇのいずれか１つに記載の液体洗剤組成物。
【０１０２】
Ｉ．当該ＡＥＳ界面活性剤が、更に、Ｃ１２  ＡＥＳ、Ｃ１３  ＡＥＳ、及びＣ１４  ＡＥＳのそれぞれを当該ＡＥＳ界面活性剤の少なくとも１重量％含む、段落Ａ〜Ｈのいずれか１つに記載の液体洗剤組成物。
【０１０３】
Ｊ．当該ＡＥＳ界面活性剤が、約２１０〜約２２０キロダルトン、好ましくは約２１１〜約２１８キロダルトンの重量平均分子量を有する鎖長を特徴とする、段落Ａ〜Ｉのいずれか１つに記載の液体洗剤組成物。
【０１０４】
Ｋ．当該ＡＥＳ界面活性剤が、約０．５〜約５、又は約１〜約３、又は約１．５〜約２．５の平均エトキシル化度を特徴とする、段落Ａ〜Ｊのいずれか１つに記載の液体洗剤組成物。
【０１０５】
Ｌ．当該ＡＥＳ界面活性剤の約１０重量％〜約３０重量％が、Ｃ２位で分岐している、段落Ａ〜Ｋのいずれか１つに記載の液体洗剤組成物。
【０１０６】
Ｍ．当該第２の界面活性剤が、アルキルベンゼンスルホネート、エトキシル化アルコール非イオン性界面活性剤、アミンオキシド界面活性剤、及びこれらの混合物からなる群から選択される、段落Ａ〜Ｌのいずれ１つに記載の液体洗剤組成物。
【０１０７】
Ｎ．当該第２の界面活性剤が、アルキルベンゼンスルホネート、好ましくは直鎖状アルキルベンゼンスルホネート（「ＬＡＳ」）を含む、段落Ａ〜Ｍのいずれか１つに記載の液体洗剤組成物。
【０１０８】
Ｏ．当該ＬＡＳが、ＡＥＳとＬＡＳとの重量比が約１：１〜約１０：１、好ましくは約２：１〜約５：１になるような量で存在する、段落Ｎに記載の液体洗剤組成物。
【０１０９】
Ｐ．当該組成物が、２０ｓ−１及び２０℃で約２００〜約８００ｃｐｓの粘度を特徴とする、段落Ａ〜Ｏのいずれか１つに記載の液体洗剤組成物。
【０１１０】
Ｑ．当該洗剤補助剤が、脂肪酸及び／又はその塩、酵素、封入有益剤、汚れ放出ポリマー、色調剤、ビルダー、キレート剤、移染阻害剤、分散剤、酵素安定剤、触媒材料、漂白剤、漂白触媒、漂白活性化剤、ポリマー分散剤、汚れ除去／再付着防止剤、ポリマー分散剤、ポリマー脂洗浄剤、増白剤、抑泡剤、染料、色調剤、香料、構造弾性化剤、布地柔軟剤、担体、充填剤、ヒドロトロープ、溶媒、抗菌剤及び／又は防腐剤、中和剤及び／又はｐＨ調整剤、加工助剤、充填剤、レオロジー調整剤又は構造化剤、乳白剤、パールエッセンス剤、顔料、防食及び／又は耐変色剤、並びにこれらの混合物から選択される、段落Ａ〜Ｐのいずれか１つに記載の液体洗剤組成物。
【０１１１】
Ｒ．当該洗剤補助剤が、アルコキシル化ポリエチレンイミン（ＰＥＩ）ポリマーを含む、段落Ａ〜Ｑのいずれか１つに記載の液体洗剤組成物。
【０１１２】
Ｓ．当該液体洗剤が、当該組成物の約２重量％以下の無機塩を含む、段落Ａ〜Ｒのいずれか１つに記載の液体洗剤組成物。
【０１１３】
Ｔ．当該液体洗剤が、布地ケア組成物である、段落Ａ〜Ｓのいずれか１つに記載の液体洗剤組成物。
【０１１４】
Ｕ．液体洗剤組成物であって、アルキルエーテルサルフェート（alkyl ether sulfate、ＡＥＳ）界面活性剤及び第２の界面活性剤を含む界面活性剤系であって、当該ＡＥＳ界面活性剤が複数のＡＥＳ化合物を含み、各ＡＥＳ化合物がアルキル鎖を含み、当該ＡＥＳ界面活性剤が、当該ＡＥＳ界面活性剤の約４０重量％〜約７０重量％の、アルキル鎖に１５個の炭素原子を有するＡＥＳ化合物（Ｃ１５  ＡＥＳ）を含み、当該ＡＥＳ界面活性剤が、当該ＡＥＳ界面活性剤の約３０重量％以下の、アルキル鎖に１４個の炭素原子を有するＡＥＳ化合物（Ｃ１４  ＡＥＳ）を含み、当該ＡＥＳ界面活性剤が、アルキル鎖を含む脂肪族アルコールの重量平均分子量に基づいて、約２０８〜約２１５ダルトン以下の重量平均分子量（ＭＷ）を有する鎖長を特徴とし、当該ＡＥＳ界面活性剤が、約０．５〜約５の平均エトキシル化度を更に特徴とする、界面活性剤系と、洗剤補助剤と、を含む、液体洗剤組成物。
【０１１５】
Ｖ．洗剤ペーストであって、当該ペーストの約４５重量％〜約１００重量％のＡＥＳ界面活性剤であって、当該ＡＥＳ界面活性剤が複数のＡＥＳ化合物を含み、各ＡＥＳ化合物がアルキル鎖を含み、当該ＡＥＳ界面活性剤が、当該ＡＥＳ界面活性剤の約４０重量％〜約７０重量％の、アルキル鎖に１５個の炭素原子を有するＡＥＳ化合物（Ｃ１５  ＡＥＳ）を含み、当該ＡＥＳ界面活性剤が、当該ＡＥＳ界面活性剤の３０重量％以下の、アルキル鎖に１４個の炭素原子を有するＡＥＳ化合物（Ｃ１４  ＡＥＳ）を含み、当該ＡＥＳ界面活性剤が、アルキル鎖を含む脂肪族アルコールの重量平均分子量に基づいて、約２００〜約２２０ダルトンの重量平均分子量（ＭＷ）を有する鎖長を特徴とし、当該ＡＥＳ界面活性剤が、約０．５〜約５の平均エトキシル化度を更に特徴とする、ＡＥＳ界面活性剤系を含み、所望により、当該ペーストが、アルキルベンゼンスルホネート界面活性剤、腐食剤、アルコキシル化ポリアルキレンイミン（ＰＥＩ）ポリマー、非アミノ官能性有機溶媒、水、又はこれらの組み合わせを更に含む、洗剤ペースト。
【０１１６】
試験方法
パーセント透過率
パーセント透過率は、Ｂｅｃｋｍａｎ  Ｃｏｕｌｔｅｒ  ＤＵ（登録商標）８００などの紫外可視分光計を用いて測定される。標準の１０ｍｍ光路長キュベットをサンプル測定に使用し、脱イオン水ブランクと比較する。サンプルは、染料及び／又は乳白剤の不存在下、２０℃±２℃の温度で測定される。
【０１１７】
ｐＨ
本明細書において特に明記しない限り、組成物のｐＨは、２０±２℃における組成物の１０％水性溶液（重量／体積）のｐＨとして定義される。ｐＨを±０．０１ｐＨ単位まで測定することができる任意の計測器が好適である。Ｏｒｉｏｎ  ｍｅｔｅｒｓ（Ｔｈｅｒｍｏ  Ｓｃｉｅｎｔｉｆｉｃ，Ｃｌｉｎｔｉｎｐａｒｋ−Ｋｅｐｐｅｋｏｕｔｅｒ，Ｎｉｎｏｖｅｓｔｅｅｎｗｅｇ  １９８，９３２０  Ｅｒｅｍｂｏｄｅｇｅｍ−Ａａｌｓｔ，Ｂｅｌｇｉｕｍ）又は均等物が、許容可能な計器である。ｐＨ計は、カロメル又は銀／塩化銀基準を有する適切なガラス電極を備えていなければならない。例としては、Ｍｅｔｔｌｅｒ  ＤＢ  １１５が挙げられる。電極は、メーカーが推奨する電解質溶液中で保管する必要がある。
【０１１８】
洗剤の１０％水溶液は、以下の手順に従って調製される。サンプル１０±０．０５グラムを±０．０２グラムまで正確に測定できる天秤で計量する。サンプルは１００ｍＬのメスフラスコへ移されて、精製水（水の導電率が＜５μＳ／ｃｍである限り、脱イオン化された及び／又は蒸留された水が好適である）で容量まで希釈されて、十分に混合される。約５０ｍＬの得られた溶液をビーカーに注ぎ、温度を２０±２℃に調整して、ｐＨをｐＨ計製造業者の標準的な手順に従って測定する。ｐＨアセンブリを組み立てて較正するための製造業者の指示書に従わなれなければならない。
【０１１９】
平均アルキル鎖長の決定
界面活性剤又は前駆体アルコールの平均アルキル鎖長は、多くの場合、界面活性剤の供給元によって報告される。当業者であれば、硫酸化又はスルホン化界面活性剤の平均アルキル鎖長が、原料アルコールの観点で決定及び／又は報告される場合もあることを理解するであろう。
【０１２０】
質量基準での鎖長分布のみ報告される場合、以下の式によって平均アルキル鎖長を計算することもできる。
平均アルキル鎖長＝（ΣＣＬｉ）／（Σ（Ｘｉ／ＣＬｉ））
（式中、Ｘｉは、各鎖長ＣＬｉの質量分率である）。
【０１２１】
鎖長分布が界面活性剤の供給元から入手できない場合、Ａｎａｌｙｓｉｓ  ｏｆ  Ｓｕｒｆａｃｔａｎｔｓ，Ｓｅｃｏｎｄ  Ｅｄｉｔｉｏｎ  Ｔｈｏｍａｓ  Ｓｃｈｍｉｔｔ，ＣＲＣ  Ｐｒｅｓｓ，２００１，ｐｇ．２９に記載されているように、ガスクロマトグラフィーを介して鎖長分布を決定することができる。硫酸化アルコールのみが利用可能である場合、ヨウ化水素酸溶液による分解によってサルフェートをアルキルヨウ化物に変換し得る。（Ｌｅｅ  ａｎｄ  Ｐｕｔｎａｍ，Ｊ．Ａｍ．Ｏｉｌ  Ｃｈｅｍ．Ｓｏｃ．４３：６９０（１９６６））。次いで、アルキルヨウ化物誘導体は、ガスクロマトグラフィーを介して鎖長について容易に特徴付けられる。
【実施例】
【０１２２】
以下に提供される実施例は、事実上例示を意図するものであり、限定することを意図するものではない。
【０１２３】
実施例１．ＡＥＳ組成物。
例示的なＡＥＳ組成物を以下の表２に示す。組成物Ａ及びＣは、等量のＣ１４及びＣ１５アルキル鎖並びに比較的少量のＣ１３アルキル鎖を有する比較例である。組成物Ｂ及びＤは、本開示によるＡＥＳ組成物であり、Ｃ１３及びＣ１５アルキル鎖の両方が比較的多く含まれている。
【０１２４】
【表２】
2021511402.tif 000003
１ＡＥＳ組成物Ａ及びＢは、８５重量％のＡＥ２．５Ｓと、１５％の、Ｃ１２及びＣ１３アルキル鎖を有する非エトキシル化アルキルサルフェートとの混合物である。
【０１２５】
実施例２．異なるＡＥＳ鎖長分布から生じる粘度効果。
様々な液体洗剤組成物を調製する（洗剤１〜１１）。各組成物は、異なる補助剤及び／又は添加剤の濃度を含むが、それぞれの界面活性剤系を以下の表３に示す。洗剤は、界面活性剤の総量が減少する順に列挙される。
【０１２６】
各洗剤組成物の２つのバージョンを調製する−実施例１に従って、ＡＥＳ「Ａ」を有するもの及びＡＥＳ「Ｂ」を有するもの。
【０１２７】
得られた組成物を４０℃で２週間保管する。保管期間の終了時に、ブルックフィールド粘度計、２番スピンドルを用いて、６０ＲＰＭ／ｓ、２０℃で、各組成物の粘度を測定する。粘度測定値、並びに「Ｂ」ＡＥＳ界面活性剤と比較した「Ａ」ＡＥＳ界面活性剤を含む組成物間の粘度差を以下の表３に示す。
【０１２８】
【表３】
2021511402.tif 000004
【０１２９】
表３に示すように、洗剤組成物の粘度は、典型的には、「Ａ」ＡＥＳ界面活性剤を「Ｂ」ＡＥＳ界面活性剤に置き換えたときに増加する。更に、「Ａ」ＡＥＳ界面活性剤を「Ｂ」ＡＥＳ界面活性剤に置き換えたとき、比較的低濃度の界面活性剤（例えば、２０％未満）を含む洗剤組成物は、粘度の著しい増加（例えば、５０％超）を示す。例えば、洗剤例８〜１１を参照されたい。
【０１３０】
実施例３．物理的安定性。
実施例２に従って、洗剤製剤２及び７のそれぞれ３つのサンプルを調製する。各サンプルは、実施例１に従って、異なるＡＥＳ組成物：Ａ、Ｂ、及びＤを使用する。それぞれの界面活性剤系を以下の表４に提供する。値は、全組成物の重量％として提供される。
【０１３１】
サンプルを２５℃及び１０℃で保管し、次いで、物理的安定性について目視評価する。透明な製剤は安定していると考えられるが、一方、曇りは物理的安定性の欠如を示す。
【０１３２】
【表４】
2021511402.tif 000005
【０１３３】
表４に示すように、ＡＥＳ  Ａ及びＡＥＳ  Ｂはいずれも、２５℃及び１０℃の両方で物理的に安定しているように見える製品をもたらす。しかしながら、ＡＥＳ  Ｄで作製された一部の製品は、１０℃で曇って見え、これは物理的安定性の欠如を示す。
【０１３４】
注目すべきことに、ＡＥＳ  Ｂ及びＡＥＳ  Ｄはいずれも、Ｃ１３及びＣ１５  ＡＥＳを多く含んでいる。分子量の差（２１１対２１６）によって明らかな鎖長分布の比較的小さな変化が、最終製品洗剤においてこのような物理的安定性の差をもたらすことは驚くべきことである。理論に束縛されるものではないが、より長いアルキル鎖長の疎水性の程度が高いほど、物理的不安定性の原因となると考えられる。
【０１３５】
更に、ＡＥＳ  Ｂ（実施例１３及び１６に例示）がＡＥＳ  Ａよりも洗剤製造業者にとってより有利であると考えられるが、これは、様々な製品にわたって配合の柔軟性がより大きくなり得るためである。例えば、実施例２に示すように、ＡＥＳ  Ａと比較してより高い比率のＣ１５  ＡＥＳ及び例えばＣ１３  ＡＥＳを有するＡＥＳ  Ｂは、特に界面活性剤が比較的少ない製剤において粘度を上昇させるのに役立つ。次いで、製造業者は、高及び低洗剤組成物の両方を配合するために単一源のＡＥＳ界面活性剤を使用することができ、それによって、原料の複雑性を低減することができる。
【０１３６】
本明細書で開示する寸法及び値は、列挙された正確な数値に厳密に限られるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」と開示された寸法は、「約４０ｍｍ」を意味することが意図される。
【０１３７】
相互参照されるか又は関連する全ての特許又は特許出願、及び本願が優先権又はその利益を主張する任意の特許出願又は特許を含む、本願に引用される全ての文書は、除外又は限定することを明言しない限りにおいて、参照によりその全体が本明細書に組み込まれる。いかなる文献の引用も、本明細書中で開示又は特許請求される任意の発明に対する先行技術であるとは見なされず、あるいはそれを単独で又は他の任意の参考文献（単数又は複数）と組み合わせたときに、そのような発明全てを教示、示唆又は開示するとは見なされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【０１３８】
本発明の特定の実施形態を例示及び説明してきたが、本発明の趣旨及び範囲から逸脱することなく他の様々な変更及び修正を行うことができる点は当業者には明白であろう。したがって、本発明の範囲内にあるそのような全ての変更及び修正を添付の特許請求の範囲に網羅することが意図されている。
【国際調査報告】
2021511402.tif 000006
2021511402.tif 000007